(57)【要約】      （修正有）【課題】体の部位に使用して痛みがなく、脂肪層の熱分解効率を高めながら、マッサージ効果を通じて皮膚の弾力を強化する事により、立体的なボディケアに加え、美肌とスキンケア効果が期待できる、吸引機能を有した携帯できるＲＥＴ方式の高周波マッサージ機を提供する。【解決手段】曲線型ボディに備えた上部カバーＣＶと、中央に吸引孔ＳＨを形成した下部カバーＢからなる本体と、下部カバー底面の縁周りに互いに隣接して間隔配列した高周波出力により皮膚側を刺激する多数の電極先端と、下部カバー上に装着した電極先端Ｄに高周波を印加する高周波発生部と、下部カバーに形成した吸引孔に接続される吸引ハウジングと、下部カバー上に装着され吸引ハウジングに接続された吸引モーターと、高周波発生部からの高周波出力、吸引モーターの吸引駆動等を制御する制御部を含み、印加出力の極性が交番するように、隣接した電極先端の極性が互いに交番する構成とする【選択図】図２
2019072468.tif 000002
【特許請求の範囲】
【請求項１】
携帯及び手で取付しやすくするように曲線型ボディに備えられる上部カバー、及び前記上部カバーに組み立てられ、中央に吸引孔が形成される下部カバーからなる本体と、
前記下部カバーの底面の縁の周りに互いに隣接して間隔配列され、及び高周波出力による皮膚側への刺激の伝達のために、露出配置される多数の電極先端と、
前記下部カバー上に装着されて備えられ、前記多数の電極先端に高周波を印加するように接続される高周波発生部と、
前記下部カバーに形成された吸引孔に連通されるように接続される吸引ハウジングと、
前記下部カバー上に装着されて備えられ、前記吸引ハウジングに接続される吸引モーターと、及び
前記高周波発生部からの高周波出力と、吸引モーターからの吸引駆動及び全般の動作を制御するための制御部とを含み、
前記多数の電極先端は、互いに隣接する電極先端の間に極性が互いに交番されるように備えて、前記高周波発生部を通じて印加される高周波に対して、極性が交番出力されるように構成されることにより、皮膚中の深部の脂肪層の刺激による熱発生効率を高めることができるようにし、
前記吸引モーターの駆動を通じて皮膚を吸い込むことで、脂肪層に対する熱分解効率を高めながら、マッサージ効果を通じる皮膚の弾力を向上させることができるようにすることを特徴とする吸引機能を有するＲＥＴ方式の高周波マッサージ機。
【請求項２】
前記制御部には、高周波出力のレベルの調整及び吸引モーターの動作調整のための操作スイッチ部と、動作状態の表示のための動作表示部とが搭載されて備えられ、前記上部カバーに位置して、外部露出されるように配置されるものであって、
前記操作スイッチ部は、
電源を印加（ＯＮ）または遮断（ＯＦＦ）するための電源ボタンと、
高周波出力によるレベルを調整するための高周波レベル調整ボタンと、及び
吸引モーターの動作のための吸引動作ボタンと、を含み、
前記動作表示部は、
動作表示のために点灯される動作表示ＬＥＤであることを特徴とする請求項１に記載の吸引機能を有するＲＥＴ方式の高周波マッサージ機。
【請求項３】
前記各電極先端は、
単一金属や合金をベース基材とし、前記ベース基材の表面に３価クロムをコーティングして表面処理することにより、皮膚との接触に伴うトラブルを無くしながら、皮膚中の深部の脂肪層に、柔らかいながらも安定的に高周波出力を伝達し、脂肪層刺激による熱発生と分解効率を高めることができるように構成することを特徴とする請求項１に記載の吸引機能を有するＲＥＴ方式の高周波マッサージ機。
【請求項４】
前記高周波発生部の出力端には、ノイズフィルタを接続してノイズの発生を遮断またはノイズを除去することができるようにするが、前記ノイズフィルタ上にコンデンサとコイルを直列接続して、一定の周波数の高周波が出力されるようにする出力調整部を含むことを特徴とする請求項１に記載の吸引機能を有するＲＥＴ方式の高周波マッサージ機。
【請求項５】
前記高周波レベル調整ボタンを操作時、前記制御部は、多段階に分けて出力電圧を調整するように制御し、前記高周波レベル調整ボタンが１回操作するごとに、出力電圧を段階的に高めて出力し、最後の段階では、最大出力電圧の２０％を超えないようにし、
前記吸引動作ボタンを操作時、前記制御部は多段階に分けて吸引モーターの駆動を制御し、前記吸引動作ボタンが１回操作するごとに動作時間を段階的に増やし、最後の段階では連続動作で駆動されるようにすることを特徴とする請求項２に記載の吸引機能を有するＲＥＴ方式の高周波マッサージ機。
【請求項６】
前記吸引ハウジングと吸引モーターとは、接続ホースで接続され、前記吸引モーターの駆動時、吸引孔を介して皮膚を吸い込むように備えられ、
前記吸引ハウジングは、多重フィルタ構造を有するように、多数のハウジングに備えて、吸引モーターの駆動により中央の吸引孔側へ皮膚を吸い込む時、皮膚に付着したオイルや液体の流体が一緒に吸い込まれる場合、吸い込まれる流体が吸引モーター側へ吸い込まれないようにして、流体により吸引モーターが破損されることを防止することができるように構成することを特徴とする請求項１に記載の吸引機能を有するＲＥＴ方式の高周波マッサージ機。
【請求項７】
前記吸引ハウジングは、
前記吸引孔に挿入されて接続される接続ハウジングと、前記接続ハウジングの内部に挿入され、フィルタが内臓されるフィルタハウジングと、前記接続ハウジングとフィルタハウジングを内部に収容してカバーするガイドハウジングから構成され、
記接続ハウジングは、前記フィルタハウジングが内部に配置される中空型ボディの接続部本体と、前記接続部本体の底面中央から下方延長されて連通され、前記接続部本体より小さい直径を有するパイプ形状の吸入ポートと、前記接続部本体の外側面の底部の一側から下方延長されて一体に形成される切れ端のボディであり、下端部が吸引孔の内部に位置するように長く形成されるガイドパネルから構成され、
前記吸引孔を介して皮膚を吸い込む時、吸引孔を通過した流体は、ガイドハウジングの内部空間に貯蔵されるようにし、空気は、前記吸入ポートを介して接続部の本体内部に吸入されるように構成することを特徴とする請求項１または６に記載の吸引機能を有するＲＥＴ方式の高周波マッサージ機。
【請求項８】
前記フィルタハウジングは、
前記接続ハウジングの接続部の本体内部に配置されて連通される中空型ボディであり、下部開放の構造に比べて上面側の直径が縮小された貫通孔の形態を有するフィルタ装着部と、
前記フィルタ装着部の中空型ボディの内部に配置されるものとして、前記吸入ポートを介して空気吸入時、吸い込まれる空気に混ざって一緒に接続部の本体内部に流入される流体を１次的にフィルタリングして遮断し、空気のみを通過させる１次フィルタと、及び
前記フィルタ装着部の上面貫通孔側に配置されて付着されるものとして、多くの量の流体の流入によって、前記１次フィルタを通過することになる流体が発生されても、２次的にフィルタリングして完全に遮断し、空気のみを通過させる２次フィルタと、を含んで構成されることを特徴とする請求項７に記載の吸引機能を有するＲＥＴ方式の高周波マッサージ機。
【請求項９】
前記ガイドハウジングは、
前記吸引孔を介して吸い込まれる流体を貯蔵するための内部空間を有する下部開放の構造の中空型ボディに備えられ、吸引孔側と連通されるように配置されるガイド本体と、
前記ガイド本体の上面中央から上側に延長されて突出形成し、前記ガイド本体の内部空間に連通され、接続ホースの接続を介して吸引モーター側と接続されて皮膚の吸引を可能にする接続媒介である空気吸入口と、及び
前記ガイド本体の下端部の外側面から外側方向に突出形成されるリング形状であって、前記ガイド本体に対して締結による安定された固定力を提供するための固定リングと、を含むことを特徴とする請求項７に記載の吸引機能を有するＲＥＴ方式の高周波マッサージ機。
【請求項１０】
前記１次フィルタは、
不織布フィルタまたはスポンジフィルタであり、
前記２次フィルタは、
テフロンフィルタまたはゴアテックスフィルタであることを特徴とする請求項８に記載の吸引機能を有するＲＥＴ方式の高周波マッサージ機。
【請求項１１】
前記下部カバー上には、底面の内側の縁の周りに互いに隣接して間隔配列し、前記多数の電極先端の間に配置し、赤外線の波長の照射による光線セラピーを誘導して皮膚の弾力
強化及びケア効果を提供することができるようにするための多数の赤外線ＬＥＤと、を含み、
前記下部カバーは、底面に前記赤外線ＬＥＤから放射される赤外線の波長を透過させて、皮膚に照射されることができるように構成することを特徴とする請求項１に記載の吸引機能を有するＲＥＴ方式の高周波マッサージ機。
【請求項１２】
前記フィルタ装着部の上面には、前記２次フィルタの上にプッシュリングが位置するように配置して、フィルタハウジングとガイドハウジングの間に介在されるように備えることで、２次フィルタの完全結着を助けて付着状態を維持し、簡単に落ちないように２次フィルタを加圧支持するように構成することを特徴とする請求項８に記載の吸引機能を有するＲＥＴ方式の高周波マッサージ機。
【発明の詳細な説明】
【技術分野】
【０００１】
本発明は、吸引機能を有するＲＥＴ方式の高周波マッサージ機に関し、更に詳しくには、高周波を利用した皮膚中の深部を刺激して、脂肪層の熱発生による分解を誘導することができるようにし、吸引（ｓｕｃｔｉｏｎ）機能の具備を介して、皮膚を吸い込んでマッサージ効果を極大化することはもちろん、高周波とともに複合作用するように構成することで、肥満の治療等立体的なボディケアに役立つことができるようにしながら、皮膚の弾力強化などの皮膚美容及び皮膚ケア効果を付加的に期待することができるようにした吸引機能を有するＲＥＴ方式の高周波マッサージ機に関する。
【背景技術】
【０００２】
一般的には、皮膚は体の最も外側に存在し、外部の諸方向から内部器官を保護し、命と美を維持するのに重要な役割をする。このような皮膚は、弾力を失うと、ぱさぱさしながら、垂れる印象を与えることになるので、普段のスキンケアが重要である。
【０００３】
そして、皮膚老化及び皮膚の弾力を維持するためには、皮膚清潔と一緒に、自分の皮膚条件に合うマッサージ等が要求され、このようなマッサージ等を介して皮膚の弾力を維持させて老化を防止することができる。
【０００４】
このような皮膚マッサージには、手で指圧する形のマッサージと一緒に、機械的な振動構造や遠赤外線の放出構造または高周波の放出構造等、多様な方式のマッサージ機が活用されている。
【０００５】
最近では、医学分野において、痛みの治療及び理学治療に適用した電気治療方式中の一つとして、高周波や低周波を利用して、皮膚美容やマッサージ効果を期待する装置が多く提案及び発売されている。
【０００６】
このように、産業の発展に応じて、生活が向上されながら皮膚美容や健康やボディケア等に関心が増大されている傾向があり、このような要求を反映した多様なマッサージ機等が発売されているが、ほとんどが容量性電流通電法（Ｃａｐａｃｉｔｉｖｅ  Ｅｌｅｃｔｒｉｃ  Ｔｒａｎｓｆｅｒ；ＣＥＴ）方式を適用しており、皮膚中の深部透熱が難しく、皮膚の表皮だけを刺激する形であり、単純な皮膚美容及び皮膚ケアのみ実行するといえ、場合によっては、単純な皮膚美容及び皮膚ケアもうまく実行することができない期待以下の装置もたくさんある。
【０００７】
一方、生活の向上により、食習慣等が変化されながら、肥満の人口が多く広がっているが、最近の肥満は、遺伝的な要因以外に加えて、環境的な要因が重要に作用している傾向であり、心血管疾患の誘発等の健康を悪化させるので、肥満クリニック等をはじめ、非常に多様な方法を介して、肥満を治療しようとしており、立体的なボディケア及び皮膚健康に関心が集まっている。
【０００８】
このような肥満治療には、運動療法や食餌療法、または薬物療法等が多く利用されてきて、体形治療の目的で、脂肪分解注射等の注射療法や超音波または脂肪吸入等が活用されており、多様な装置が活用されることもある。
【先行技術文献】
【特許文献】
【０００９】
【特許文献１】韓国登録特許第１０−１６３９２０７号公報
【特許文献２】韓国登録特許第１０−１６９７３３４号公報
【特許文献３】韓国登録特許第１０−１７７０３６４号公報
【特許文献４】韓国登録特許第１０−１７７３５０８号公報
【発明の概要】
【発明が解決しようとする課題】
【００１０】
本発明は、上述した問題点を解決し、これを勘案して案出されたものであり、高周波を利用した皮膚中の深部を刺激して、脂肪層の熱発生による分解を誘導することができるようにし、吸引（ｓｕｃｔｉｏｎ）機能の具備を介して、皮膚を吸い込んで、マッサージ効果を極大化することはもちろん、高周波とともに複合作用するように構成することで、肥満の治療等の立体的なボディケアに役立つことができるようにしながら、皮膚の弾力強化等の皮膚美容及び皮膚ケア効果を付加的に期待することができるようにする吸引機能を有するＲＥＴ方式の高周波マッサージ機を提供することにその目的がある。
【００１１】
本発明は、抵抗性電流通電法（Ｒｅｓｉｓｔｉｖｅ  Ｅｌｅｃｔｒｉｃ  Ｔｒａｎｓｆｅｒ；ＲＥＴ）の方法を適用して、皮膚側の表皮ではなく、皮膚中の深部の脂肪層を刺激することができるようにし、これによる皮膚中の脂肪層においての熱発生と脂肪分解を誘導することができようにし、これとともに、皮膚の吸引による複合作用を介して脂肪層の分解効率を高めて、肥満治療に役に立つ等立体的なボディケアに有用性を発揮することができるようにした吸引機能を有するＲＥＴ方式の高周波マッサージ機を提供することにその目的がある。
【００１２】
本発明は、携帯していつでもどこでも気軽に使用し、腹部や太ももや腕など、体の様々な部位に使用することができ、痛みなく安定的に使用することができるようにし、高周波を利用した皮膚中の深部透熱と、皮膚の吸引による刺激を介して皮膚中の深部に位置する脂肪層を減らすことができるようにする吸引機能を有するＲＥＴ方式の高周波マッサージ機を提供することにその目的がある。
【課題を解決するための手段】
【００１３】
このような本発明の目的を達成するための本発明に係る吸引機能を有するＲＥＴ方式の高周波マッサージ機は、携帯及び手で取付しやすくするように曲線型ボディに備えられる上部カバー、及び前記上部カバーに組み立てられ、中央に吸引孔が形成される下部カバーからなる本体と、前記下部カバーの底面の縁の周りに互いに隣接して間隔配列され、及び高周波出力による皮膚側への刺激の伝達のために、露出配置される多数の電極先端と、前記下部カバー上に装着されて備えられ、前記多数の電極先端に高周波を印加するように接続される高周波発生部と、前記下部カバーに形成された吸引孔に連通されるように接続される吸引ハウジングと、前記下部カバー上に装着されて備えられ、前記吸引ハウジングに接続される吸引モーターと、及び前記高周波発生部からの高周波出力と、吸引モーターからの吸引駆動及び全般の動作を制御するための制御部とを含み、前記多数の電極先端は、互いに隣接する電極先端の間に極性が互いに交番されるように備えて、前記高周波発生部を通じて印加される高周波に対して、極性が交番出力されるように構成されることにより、皮膚中の深部の脂肪層の刺激による熱発生効率を高めることができるようにし、前記吸引モーターの駆動を通じて皮膚を吸い込むことで、脂肪層に対する熱分解効率を高めながら、マッサージ効果を通じる皮膚の弾力を向上させることができるようにすることを特徴とする。
【００１４】
一実施例において、前記制御部には、高周波出力のレベルの調整及び吸引モーターの動作調整のための操作スイッチ部と、動作状態の表示のための動作表示部とが搭載されて備えられ、前記上部カバーに位置して、外部露出されるように配置されるものであって、前記操作スイッチ部は、電源を印加（ＯＮ）または遮断（ＯＦＦ）するための電源ボタンと、高周波出力によるレベルを調整するための高周波レベル調整ボタンと、及び吸引モーターの動作のための吸引動作ボタンと、を含み、前記動作表示部は、動作表示のために点灯される動作表示ＬＥＤであることを特徴とする。
【００１５】
一実施例において、前記各電極先端は、単一金属や合金をベース基材とし、前記ベース基材の表面に３価クロムをコーティングして表面処理することにより、皮膚との接触に伴うトラブルを無くしながら、皮膚中の深部の脂肪層に、柔らかいながらも安定的に高周波出力を伝達し、脂肪層刺激による熱発生と分解効率を高めることができるように構成することを特徴とする。
【００１６】
一実施例において、前記高周波発生部の出力端には、ノイズフィルタを接続してノイズの発生を遮断またはノイズを除去することができるようにするが、前記ノイズフィルタ上にコンデンサとコイルを直列接続して、一定の周波数の高周波が出力されるようにする出力調整部を含むことを特徴とする。
【００１７】
一実施例において、前記高周波レベル調整ボタンを操作時、前記制御部は、多段階に分けて出力電圧を調整するように制御し、前記高周波レベル調整ボタンが１回操作するごとに、出力電圧を段階的に高めて出力し、最後の段階では、最大出力電圧の２０％を超えないようにし、前記吸引動作ボタンを操作時、前記制御部は多段階に分けて吸引モーターの駆動を制御し、前記吸引動作ボタンが１回操作するごとに動作時間を段階的に増やし、最後の段階では連続動作で駆動されるようにすることを特徴とする。
【００１８】
一実施例において、前記吸引ハウジングと吸引モーターとは、接続ホースで接続され、前記吸引モーターの駆動時、吸引孔を介して皮膚を吸い込むように備えられ、前記吸引ハウジングは、多重フィルタ構造を有するように、多数のハウジングに備えて、吸引モーターの駆動により中央の吸引孔側へ皮膚を吸い込む時、皮膚に付着したオイルや液体の流体が一緒に吸い込まれる場合、吸い込まれる流体が吸引モーター側へ吸い込まれないようにして、流体により吸引モーターが破損されることを防止することができるように構成することを特徴とする。
【００１９】
一実施例において、前記吸引ハウジングは、前記吸引孔に挿入されて接続される接続ハウジングと、前記接続ハウジングの内部に挿入され、フィルタが内臓されるフィルタハウジングと、前記接続ハウジングとフィルタハウジングを内部に収容してカバーするガイドハウジングから構成され、前記接続ハウジングは、前記フィルタハウジングが内部に配置される中空型ボディの接続部本体と、前記接続部本体の底面中央から下方延長されて連通され、前記接続部本体より小さい直径を有するパイプ形状の吸入ポートと、前記接続部本体の外側面の底部の一側から下方延長されて一体に形成される切れ端のボディであり、下端部が吸引孔の内部に位置するように長く形成されるガイドパネルから構成され、前記吸引孔を介して皮膚を吸い込む時、吸引孔を通過した流体は、ガイドハウジングの内部空間に貯蔵されるようにし、空気は、前記吸入ポートを介して接続部の本体内部に吸入されるように構成することを特徴とする。
【００２０】
一実施例において、前記フィルタハウジングは、前記接続ハウジングの接続部の本体内部に配置されて連通される中空型ボディであり、下部開放の構造に比べて上面側の直径が縮小された貫通孔の形態を有するフィルタ装着部と、前記フィルタ装着部の中空型ボディの内部に配置されるものとして、前記吸入ポートを介して空気吸入時、吸い込まれる空気に混ざって一緒に接続部の本体内部に流入される流体を１次的にフィルタリングして遮断し、空気のみを通過させる１次フィルタと、及び前記フィルタ装着部の上面貫通孔側に配置されて付着されるものとして、多くの量の流体の流入によって、前記１次フィルタを通過することになる流体が発生されても、２次的にフィルタリングして完全に遮断し、空気のみを通過させる２次フィルタと、を含んで構成されることを特徴とする。
【００２１】
一実施例において、前記ガイドハウジングは、前記吸引孔を介して吸い込まれる流体を貯蔵するための内部空間を有する下部開放の構造の中空型ボディに備えられ、吸引孔側と連通されるように配置されるガイド本体と、前記ガイド本体の上面中央から上側に延長されて突出形成し、前記ガイド本体の内部空間に連通され、接続ホースの接続を介して吸引モーター側と接続されて皮膚の吸引を可能にする接続媒介である空気吸入口と、及び前記ガイド本体の下端部の外側面から外側方向に突出形成されるリング形状であって、前記ガイド本体に対して締結による安定された固定力を提供するための固定リングと、を含むことを特徴とする。
【００２２】
一実施例において、前記１次フィルタは、不織布フィルタまたはスポンジフィルタであり、前記２次フィルタは、テフロン（登録商標）フィルタまたはゴアテックスフィルタであることを特徴とする。
【００２３】
一実施例において、前記下部カバー上には、底面の内側の縁の周りに互いに隣接して間隔配列し、前記多数の電極先端の間に配置し、赤外線の波長の照射による光線セラピーを誘導して皮膚の弾力強化及びケア効果を提供することができるようにするための多数の赤外線ＬＥＤと、を含み、前記下部カバーは、底面に前記赤外線ＬＥＤから放射される赤外線の波長を透過させて、皮膚に照射されることができるように構成することを特徴とする。
【００２４】
一実施例において、前記フィルタ装着部の上面には、前記２次フィルタの上にプッシュリングが位置するように配置して、フィルタハウジングとガイドハウジングの間に介在されるように備えることで、２次フィルタの完全結着を助けて付着状態を維持し、簡単に落ちないように２次フィルタを加圧支持するように構成することを特徴とする。
【発明の効果】
【００２５】
本発明によると、多数の電極先端を利用し、極性を交番する構成による抵抗性電流通電法（Ｒｅｓｉｓｔｉｖｅ  Ｅｌｅｃｔｒｉｃ  Ｔｒａｎｓｆｅｒ；ＲＥＴ）方法を適用することで、出力される高周波が単純に皮膚側の表皮だけを刺激することではなく、皮膚中の深部の脂肪層を刺激することができ、このような皮膚中の深部透熱による皮膚中の脂肪層においての旺盛な分子移動によって、熱を発生させて、脂肪層の組織活性による脂肪分解を誘導するため、肥満治療に役立つ等、立体的なボディケアに有用性を発揮することができる。
【００２６】
本発明は、多数の電極先端を利用した高周波の刺激とともに、皮膚の吸引によるマッサージ効果等を介して皮膚中の脂肪層に複合作用が及ぶように誘導することができるが、これにより、皮膚中の深部に位置する脂肪層においての熱発生及び脂肪分解効率を更に高めることができ、特に、皮膚組織を引っ張って、脂肪組織の周辺の結体組織に継続的な収縮と弛緩作用を加えるので、リンパをスムーズに循環させて、老廃物の排出を容易にすることはもちろん、脂肪層を分解及び除去することができて、肥満治療に役立つことができる等、立体的なボディケアに有用性を発揮することができる。
【００２７】
本発明は、携帯していつでもどこでも気軽に使用することができ、腹部や太ももや腕など、体の様々な部位に使用することができ、痛みなく安定的に使用することができ、肥満の治療など、立体的なボディケアに加えて皮膚の弾力を強化させる等皮膚美容及び皮膚ケア効果を付加的に期待することができる有用性を発揮することができる。
【図面の簡単な説明】
【００２８】
【図１】本発明の実施例に係る高周波のマッサージ機を示す外観斜視図である。
【図２】本発明の実施例に係る高周波のマッサージ機を示す底部斜視図である。
【図３】本発明の実施例に係る高周波のマッサージ機において上部カバーと下部カバーを分離して示す分解斜視図である。
【図４】本発明の実施例に係る高周波のマッサージ機において動作制御関係を示すブロック構成図である。
【図５】本発明の実施例に係る高周波のマッサージ機において下部カバー側の構成を示す要所斜視図である。
【図６】本発明の実施例に係る高周波のマッサージ機においての吸引ハウジングを説明するために示す分解斜視図である。
【図７】本発明の実施例に係る高周波のマッサージ機においての吸引ハウジングを説明するために示す断面分解斜視図である。
【図８】本発明の実施例に係る高周波のマッサージ機においての吸引ハウジングを説明するために示す断面図である。
【図９】本発明においての吸引ハウジングのフィルタハウジングを説明するために示す断面分解斜視図である。
【図１０】本発明においての吸引ハウジングの接続ハウジングを説明するために示す断面斜視図である。
【図１１】本発明の実施例に係る高周波のマッサージ機において下部カバーとガイドハウジングの間の結合関係を説明するために示す斜視図である。
【発明を実施するための形態】
【００２９】
以下、本発明のこのましい実施例を添付した図面を参照して説明することにする。
【００３０】
本発明の特性及び利点は、添付図面に基づいた、以下の詳細な説明で、更に明らかになるものであり、この過程で図面に図示した線の太さや構成要素の大きさ等は、説明の明確性と便利上、誇張されて図示されることができる。
【００３１】
そして、後述される用語らは、本発明においての機能を考慮して定義された用語であって、これは使用者、運用者の意図または慣例によって異なることができる。したがって、このような用語に対する定義は、本明細書の全般にわたった内容を基にして決定されるべきである。
【００３２】
併せて、以下の実施例は、本発明の権利範囲を限定するものではなく、本発明の請求の範囲に提示された構成要素の例示的な事項に過ぎず、本発明の明細書全般にわたった技術思想に含まれて、請求の範囲の構成要素で、均等物として置換可能な構成要素を含む実施例は、本発明の権利範囲に含まれることができる。
【００３３】
本発明の実施例に係る吸引機能を有するＲＥＴ方式の高周波マッサージ機１は、図１ないし図１１に示すように、携帯及び手で取付しやすくするように曲線型ボディに備えられる上部カバーＣＶと、及び前記上部カバーＣＶに組み立てられ中央に吸引孔ＳＨが形成される下部カバーＢと、からなる本体２と、前記下部カバーＢの底面の縁の周りに互いに隣接して間隔配列され、高周波出力による皮膚側への刺激伝達のために、露出配置される多数の電極先端Ｄと、前記下部カバーＢ上に装着されて備えられ、前記多数の電極先端Ｄに高周波を印加するように接続される高周波発生部３と、前記下部カバーＢに形成された吸引孔ＳＨに連通されるように接続される吸引ハウジング１０と、前記下部カバーＢ上に装着されて備えられ、前記吸引ハウジング１０に接続される吸引モーターＳＣと、及び前記高周波発生部３においての高周波出力と吸引モーターＳＣでの吸引駆動及び全般の動作を制御するための制御部４とを含む。
【００３４】
前記多数の電極先端Ｄは、互いに隣接する電極先端の間に極性が互いに交番されるように備え、前記高周波発生部３を介して印加される高周波に対して極性が交番出力されるように構成することで、皮膚中の深部の脂肪層刺激による熱発生効率を高めることができるように構成することがこのましい。
【００３５】
前記各電極先端Ｄは、導電性を有する単一金属や合金をベース基材として使用することができ、前記ベース基材の表面に３価イオンの保有によって、生体適合性を有する３価クロムをコーティングして、表面処理することで、皮膚との接触に伴うトラブルを無くしながら、皮膚中の深部の脂肪層に柔らかいながらも安定的に高周波出力を伝達し、脂肪層刺激による熱発生と分解効率を高めることができるように構成することがこのましい。
【００３６】
前記吸引ハウジング１０と吸引モーターＳＣは、接続ホースＨＳで接続され、前記吸引モーターＳＣの駆動時、作用する吸入圧力により吸引孔ＳＨを介して皮膚を吸い込むように備えられるが、前記吸引モーターＳＣの駆動を通じて皮膚を吸い込むことで、皮膚中の深部の脂肪層に対する熱分解効率を高めながら、マッサージ効果を通じる皮膚の弾力を強化させることができる。
【００３７】
前記制御部４には、前記高周波発生部３においての高周波出力に対するレベルを調整するとともに、吸引モーターＳＣの動作を調整するための操作スイッチ部５と、高周波のマッサージ機１に対する動作状態の表示のための動作表示部６が搭載されて備えられ、前記操作スイッチ部５と動作表示部６は、前記上部カバーＣＶに位置して外部露出されるように配置される。
【００３８】
前記操作スイッチ部５は、高周波のマッサージ機１の装置上に、電源を印加（ＯＮ）または遮断（ＯＦＦ）するための電源ボタン５ａと、前記高周波発生部３側の高周波出力によるレベルを調整するための高周波レベル調整ボタン５ｂと、及び前記吸引モーターＳＣの動作のための吸引動作ボタン５ｃとを含む。
【００３９】
この時、前記高周波レベル調整ボタン５ｂの操作時、前記制御部４においては、高周波出力は、一定の周波数で出力しながら、多段階に分けて出力電圧を調整するように制御し、前記高周波レベル調整ボタン５ｂの１回操作するごとに、出力電圧を段階的に高めて出力し、最後の段階では最大出力電圧の２０％を超えないように構成することがこのましい。
【００４０】
ここで、通常は、消費者が装置等に印加して使用する交流電圧が１１０Ｖまたは２２０Ｖであるため、前記最大出力電圧は、２２０Ｖとする。
【００４１】
ここで、前記高周波レベル調整ボタン５ｂの操作時、高周波出力は、一定に出力しながら、出力電圧の調整を３段階に分けて実施するとした場合、例えば、段階１では、１９３Ｖ±２０％、段階２では、２０５Ｖ±２０％、段階３では、２２０Ｖ±２０％から構成されることができる。
【００４２】
また、前記吸引動作ボタン５ｃの操作時にも、前記制御部４においての制御を介して、多段階に分けて吸引モーターＳＣの駆動を制御し、前記吸引動作ボタン５ｃの１回操作するごとに、動作時間を段階的に増やし、最後の段階では連続動作で駆動されることができる。
【００４３】
ここで、前記吸引動作ボタン５ｃの操作時にも、吸引モーターの駆動を３段階に分けて実施するとした場合、例えば、段階１では、１秒動作後１秒停止、段階２では２秒動作後、１秒停止、段階３では連続動作で実行されることができる。
【００４４】
前記動作表示部６は、使用状態等の動作表示のために点灯されるものであり、動作表示ＬＥＤで構成することができる。
【００４５】
前記高周波発生部３の出力端には、出力調整部７を接続して構成することができるが、前記高周波発生部３の出力端にノイズフィルタを接続して高周波出力時、装置上でのノイズの発生を遮断またはノイズを除去することができるようにするが、前記ノイズフィルタ上にコンデンサとコイルを直列接続して一定の周波数の高周波が出力されるように構成することができる。
【００４６】
これにより、使用者が希望する高周波出力を一定の周波数で出力し、ノイズを除去することで、正確な出力が形成されるようにする。
【００４７】
前記下部カバーＢ上には、電池が設置されて、前記吸引モーターＳＣと高周波発生部３及び制御部４等に必要な電源を供給することができるように構成される。
【００４８】
このような構成を有する本発明においては、使用者が本体２を手で取付した状態で、腰や太ももまたは腕等の体の皮膚に電極先端Ｄを接触された状態で、装置上に電源を印加し、前記高周波レベル調整ボタン５ｂを操作すると、前記制御部４で高周波出力部３を介して高周波を出力し、選択段階別の出力電圧としての出力を出して、該当部位側の皮膚の深部に位置する脂肪層に高周波による刺激を伝達する。
【００４９】
こうして該当部位側の皮膚中の深部の脂肪層に伝達される高周波による刺激は、皮膚中の深部透熱が実行されるため、皮膚中の脂肪層においての旺盛な分子移動を誘導し、脂肪層においての抵抗によって熱が発生され、脂肪層の組織内での分子移動及び抵抗によって発生される熱は、脂肪層の組織活性を誘発して、皮膚中の深部の脂肪を分解させる作用をする。
【００５０】
この時、前記多数の電極先端Ｄでは、一定の周波数（例えば、０.５MＨz等）の高周波出力を通じて、皮膚中の深部の脂肪層まで伝達し、互いに隣接する電極先端Ｄ同士は、互いに相反される極性で交番出力するため、正弦波の出力の形を持つようになり、脂肪層の組織内での分子移動を更に活発に誘導することができて、熱発生効率及びこれによる脂肪分解効率を高めることができる。
【００５１】
これにより、本発明では、極性が交番される多数の電極先端Ｄを利用した高周波（例えば、０.５MＨz等）の出力を印加するため、皮膚中の深部の脂肪層に対して、脂肪を分解し、除去することができ、肥満治療に役立つことができ、継続的な使用によってボディ痩身を可能にするなど、立体的なボディを作っていくようにする利点を提供することができる。
【００５２】
また、本発明においては、前記吸引動作ボタン５ｃの操作を介して吸引モーターＳＣを駆動すると、前記制御部４においては高周波発生部３を介した高周波出力による皮膚中の深部の脂肪層刺激とともに、吸引孔ＳＨを介して皮膚の肉を吸い込むようになり、基本的に皮膚の吸引によるマッサージ効果を提供することができる。
【００５３】
この時、吸引孔ＳＨを介した皮膚の吸引機能によって、皮膚組織を引っ張るため、皮膚中の深部の脂肪組織の周辺の結体組織に継続的な収縮と弛緩作用を加えるようになり、このような脂肪層の収縮と弛緩を介して、リンパをスムーズに循環させることができ、リンパのスムーズな循環によって、老廃物を容易に排出することができ、脂肪層を分解及び除去する作用をする。
【００５４】
これにより、本発明に係る高周波のマッサージ機１は、高周波出力と吸引機能の複合的な同時作用を介して、皮膚中の深部の脂肪層に対する分解及び除去効率を極大化することができ、高周波出力だけ利用して皮膚中の深部透熱による痛み治療及び理学治療にも活用することができる。
【００５５】
これに加えて、本発明においては、前記下部カバーＢ上の底面の内側の縁の周りに、互いに隣接して間隔配列し、前記多数の電極先端Ｄの間に配置し、赤外線の波長の照射による光線セラピーを誘導して皮膚の弾力強化及びケア効果を提供することができるようにするための多数の赤外線ＬＥＤ（Ｒ_ＬＥＤ）を含むように構成することができ、この時、前記下部カバーＢは、底面に前記赤外線ＬＥＤ（Ｒ_ＬＥＤ）から放出する赤外線の波長を透過させて、皮膚に照射できるように構成することがこのましい。
【００５６】
この時、前記多数の赤外線ＬＥＤ（Ｒ_ＬＥＤ）は、光線セラピーによる皮膚の弾力強化及びケア機能と一緒に、皮膚中の赤外線の波長の透過によって、高周波が皮膚中の深部の脂肪層に更にうまく浸透されるように作用することはもちろん、脂肪層の組織内においての熱発生効率を高める作用をする。
【００５７】
一方、本発明においては、前記吸引モーターＳＣの駆動を介した吸入圧力を利用して、中央の吸引孔ＳＨ側に皮膚を吸い込む時、皮膚に付着したオイルや液体の流体が一緒に吸い込まれる場合、吸い込まれる流体が吸引モーターＳＣ側へ吸い込まれないようにすることで、吸い込まれる流体により吸引モーターＳＣが破損されることを防止することができるようにするために、前記吸引ハウジング１０は、図５ないし図１１に示すように、多重フィルタ構造を有するように多数のハウジング形態で構成することができる。
【００５８】
このため、前記吸引ハウジング１０は、前記吸引孔ＳＨに挿入されて接続される接続ハウジング３００と、前記接続ハウジング３００の内部に挿入され、フィルタが内臓されるフィルタハウジング２００と、前記接続ハウジング３００とフィルタハウジング２００を、内部に収容してカバーするガイドハウジング１００とから構成することができる。
【００５９】
この時、前記吸引孔ＳＨの周囲には下部カバーＢの高さ方向に延長して形成された貫通チューブＢ１が形成され、前記ガイドハウジング１００は、前記貫通チューブＢ１に結合される。
【００６０】
前記接続ハウジング３００は、前記フィルタハウジング２００が内部に配置される中空型ボディの接続部本体３１０と、前記接続部本体３１０の底面中央から下方延長されて連通され、前記接続部本体３１０より小さい直径を有するパイプ形状の吸入ポート３２０と、前記接続部本体３１０の外側面の底部の一側から下方延長されて一体に形成される切れ端のボディであり、下端部が吸引孔ＳＨ内部に位置するように長く形成されるガイドパネル３３０とを含むように構成することができる。
【００６１】
この時、前記吸引孔ＳＨを介して皮膚を吸い込む時、吸引孔ＳＨを通過した流体は、ガイドハウジング１００の内部空間に貯蔵され、空気は、前記吸入ポート３２０を通じて接続部本体３１０の内部に吸入されるように構成される。
【００６２】
前記接続部本体３１０の外側面には、第１のＯリングＯ１が備えられ、前記接続部本体３１０の内側面には、第２のＯリングＯ２が備えられて密閉機能を持つように構成される。
【００６３】
前記フィルタハウジング２００は、前記接続ハウジング３００の接続部本体３１０の内部に配置され、連通される中空型ボディであり、下部開放の構造に比べて上面側直径が縮小された貫通孔２１１ａの形態を持つフィルタ装着部２１０と、前記フィルタ装着部２１０の中空型ボディの内部に配置されたものであって、前記吸入ポート３２０と通じて空気吸入時、吸い込まれる空気に混ざって一緒に接続部本体３１０の内部に流入される流体を、１次的にフィルタリングして遮断し、空気のみを通過させるための１次フィルタ２３０と、前記フィルタ装着部２１０の上面貫通孔２１１ａ側に配置されて付着されるものであって、多くの量の流体の流入により前記１次フィルタ２３０を通過することになる流体が発生されても、２次的にフィルタリングして流体の通過を完全に遮断し、空気のみを通過させるための２次フィルタ２２０を含むように構成することができる。
【００６４】
この時、前記１次フィルタ２３０は、不織布フィルタまたはスポンジフィルタで構成することができ、前記２次フィルタは、テフロンフィルタまたはゴアテックスフィルタで構成することができる。
【００６５】
ここで、前記フィルタ装着部２１０の上面には、前記２次フィルタ２２０の上に、プッシュリングＰＲが位置するように配置して、フィルタハウジング２００とガイドハウジング１００の間に介在されるように備えることで、２次フィルタ２２０の完全結着を助けて、付着状態を維持し、簡単に落ちないように２次フィルタ２２０を加圧支持するように構成することがこのましい。
【００６６】
前記フィルタ装着部２１０の上部に形成される貫通孔２１１ａは、必要に応じて大きさが異なることができ、前記２次フィルタ２２０は、これをカバーする大きさで形成される。
【００６７】
前記ガイドハウジング１００は、前記吸引孔ＳＨを介して吸い込まれる流体を貯蔵するための内部空間を有する下部開放の構造の中空型ボディに備えられ、吸引孔ＳＨ側と連通されるように配置されるガイド本体１１０と、前記ガイド本体１１０の上面中央から、上側に延長されて突出形成し、前記ガイド本体１１０の内部空間に連通され接続ホースＨＳの接続を介して、吸引モーターＳＣ側と接続されて接触される部位の皮膚の吸引を可能にする接続媒介である空気吸入口１２０と、前記ガイド本体１１０の下端部の外側面から、外側方向に突出形成されるリング形状であって、前記ガイド本体１１０に対して締結による安定された固定力を提供するための固定リング１３０を含むように構成することができる。
【００６８】
前記ガイド本体１１０の下側は、下部カバーＢ側の吸引孔ＳＨと連通されるように接続される。
【００６９】
前記固定リング１３０は、前記ガイド本体１１０の下側の周囲に、環状で突出された突出部１４０上の外側方向に突出することができる。
【００７０】
即ち、前記フィルタハウジング２００と接続ハウジング３００は、ガイド本体１１０の内部に設置されるため、結局、前記フィルタハウジング２００と接続ハウジング３００は、吸引孔ＳＨと連通され、前記吸引孔ＳＨを介して吸い込まれる空気は、フィルタハウジング２００と接続ハウジング３００を介して、ガイドハウジング１００の空気吸入口１２０を通じて吸引モーターＳＣ側に流入される。
【００７１】
この時、使用者の皮膚に残存して、吸い込まれる流体は、前記ガイドハウジング１００の内部に貯蔵され、吸引モーターＳＣ側へ吸い込まれることが、フィルタリング機能によって遮断される。
【００７２】
前記吸引孔ＳＨが形成される貫通チューブＢ１の周囲には、リング形状の収容壁Ｂ３が、円周方向に一定の間隔で離隔され、多数形成され、前記収容壁Ｂ３の円周方向の間には、特定の曲率を持つ円弧形状である円弧壁Ｂ２が接続される。即ち、前記円弧壁Ｂ２は、前記貫通チューブＢ１の周囲に形成されるため、前記円弧壁Ｂ２の直径は、貫通チューブＢ１より大きくなる。前記収容壁Ｂ３は、図示されたように、リング形状を持ち、前記円弧壁Ｂ２の周囲に円周方向に多数設置され、一定間隔で互いに離隔される。
【００７３】
このような収容壁Ｂ３に、前記固定リング１３０が安着され、前記円弧壁Ｂ２と貫通チューブＢ１の間には前記突出部Ｂ１が安着される。広く知られている固定具Ｆが、前記固定リング１３０を貫通した後、収容壁Ｂ３の底に設置される。このような構成によって、ガイドハウジング１００と下部カバーＢが固定される。
【００７４】
ここで、前記接続ハウジング３００の有する前記吸入ポート３２０は、狭い直径を持ち、前記接続部本体３１０より非常に小さい直径を持つ。したがって、吸引孔ＳＨを介して、前記ガイドハウジング１００の内部に吸入された流体と、空気中の空気のみが、前記吸入ポート３２０を介して吸入され、ガイドハウジング１００の空気吸入口１２０を介して吸引モーター側へ伝達される。
【００７５】
しかし、前記吸引孔ＳＨを介して吸い込まれる流体は、吸入ポート３２０側へほとんど吸入されず、接続ハウジング３００とガイドハウジング１００の内部空間に貯蔵されて、流体が吸引モーターＳＣ側へ伝達されることを遮断する。これは上述したように、前記吸入ポート３２０が狭い直径を持って、下方延長された形状による。ただし、流体中の一部が吸入ポート３２０を介して吸入されることができるが、このような場合には、フィルタハウジング２００に備えた１次フィルタ２３０及び２次フィルタ２２０を介して、流体が吸引モーターＳＣ側へ吸い込まれるのを基本的に遮断する。
【００７６】
前記ガイドパネル３３０は、切れ端形状を有し、前記吸引孔ＳＨの内部まで下方延長されて長くしたものであり、このようなガイドパネル３３０によって、流体と空気の流れがガイドされて吸入ポート３２０側に流体と空気を誘導することができる。
【００７７】
また、前記下部カバーＢの貫通チューブＢ１は、仕上げキャップＥによって密閉されることができ、前記ガイドハウジング１００の固定リング１３０の底面と収容壁Ｂ３の底面の間には、第３のＯリングＯ３を設置して、より気密を完全に具現することができる。
【００７８】
このような構成により、本発明においては、皮膚から流入されるオイル等の流体が吸引モーターＳＣ側に流入されることを完全に遮断することができて、吸引モーターＳＣを保護することができ、本発明に係る高周波のマッサージ機１を使用中断した後、裏返したり、振っても、オイル等の流体がガイドハウジング１００の内部に貯蔵され、フィルタハウジング２００側へ流体が流入されても、フィルタの機能によってフィルタリング処理されるため、吸引モーターＳＣ側へ吸い込まれるのを遮断することができて、前記吸引モーターＳＣを安全に保護することができる。
【００７９】
また、本発明においては、流体が吸引ハウジング１０の内部に吸入される場合、ガイドハウジング１００の内部に空間があって、一定量が該当空間に貯蔵され、また吸引動作を停止したり、皮膚等で高周波のマッサージ機１を離した場合、ガイドハウジング１００の内部にとどまっていた流体が再び外に排出されるため、直接に吸引モーターＳＣ側に流入されないようにする。
【００８０】
以上、本発明について添付された図面を参照して本発明の実施例を記述したが、本発明の属する技術分野の当業者は、本発明がその技術的思想や必須的特徴を変更しなくて他の具体的な形で実施されることができることを理解できるだろう。
【００８１】
従って、以上で記述した実施例は、全ての方面で例示的であり、限定的なものではないものとして理解されるべきで、前記詳細な説明で記述した本発明の範囲は、後述した請求の範囲によって示され、請求の範囲の意味及び範囲、それにその均等な概念から導出される全ての変更または変更された形態が本発明の範囲に含まれるものとして解釈されるべきである。
【符号の説明】
【００８２】
１        高周波のマッサージ機
２        本体
３        高周波発生部
４        制御部
５        操作スイッチ部
６        動作表示部
７        出力調整部
１０      吸引ハウジング
１００    ガイドハウジング
１１０    ガイド本体
１２０    空気吸入口
１３０    固定リング
２００    フィルタハウジング
２１０    フィルタ装着部
２２０    ２次フィルタ
２３０    １次フィルタ
３００    接続ハウジング
３１０    接続部本体
３２０    吸入ポート
３３０    ガイドパネル
ＣＶ      上部カバー
Ｂ        下部カバー
Ｄ        電極先端
ＳＨ      吸引孔
ＳＣ      吸引モーター
Ｒ_ＬＥＤ  赤外線ＬＥＤ
ＰＲ      プッシュリング
【図１】
2019072468.tif 000003
【図２】
2019072468.tif 000004
【図３】
2019072468.tif 000005
【図４】
2019072468.tif 000006
【図５】
2019072468.tif 000007
【図６】
2019072468.tif 000008
【図７】
2019072468.tif 000009
【図８】
2019072468.tif 000010
【図９】
2019072468.tif 000011
【図１０】
2019072468.tif 000012
【図１１】
2019072468.tif 000013